(57)【要約】【課題】  一時的或いは簡易に対処できるビニールハウスの骨材補強構造を提供する。【解決手段】  Ｕ字状の抱持部１１を形成し、両側壁部１２に先端から側壁部１２の略中央にかけて切欠部１３を形成し、前記切欠部１３の両側を脚部１４とし、先端は内側への屈曲部１５を形成した連結金具１と、本体平面部２１の両側に下方へ９０度屈曲した先細テーパーの側板部２２を形成した楔２とで構成する。  楔２の側板部の中央部が欠損２３し、前後部に先細のテーパーの側板部２２Ａ、２２Ｂを形成する。中央部の欠損２３した前後長Ｌは連結金具１の脚部１４Ａ、１４Ｂの前後長Ｓよりも長く、前後部に形成された先細テーパーの側板部２２Ａ、２２Ｂは同一の傾斜角度と同一の垂下長を有する。【選択図】  図６
2016021870.tif 000002
【特許請求の範囲】
【請求項１】
中央部を湾曲したＵ字状の抱持部を形成し、両側壁部に先端から側壁部の略中央にかけて切欠部を形成し、前記切欠部の両側を脚部とし、脚部の先端は内側への屈曲部を形成して成る連結金具と、本体平面部の両側に下方へ９０度屈曲した先細のテーパーの側板部を形成した楔とで構成し、前記抱持部へ骨材と共に補強材を同一方向に重合して抱持させ、前記両脚部の屈曲部に楔の前記側板部を打ち込んで前記抱持部内の骨材と補強材を挟圧固定したことを特徴とするビニールハウスの骨材補強構造。
【請求項２】
楔は、中央部が欠損して前後部に先細テーパーの側板部が形成され、中央部の欠損した前後長さは前記脚部の前後長さよりも長いことを特徴とする請求項１記載のビニールハウスの骨材補強構造。
【請求項３】
前後部に形成された先細テーパーの側板部は、同一の傾斜角度と同一の垂下長を有することを特徴とする請求項２記載のビニールハウスの骨材補強構造。
【請求項４】
本体平面部の中央には段部を形成して溝条平面と成し、段部は補強材又は骨材に当接して打ち込まれることを特徴とする請求項２又は３に記載のビニールハウスの骨材補強構造。
【発明の詳細な説明】
【技術分野】
【０００１】
本発明は、農業用ビニールハウスの骨組みを構成するアーチ状の支柱材や、支柱材と交差し棟方向に沿う梁材を補強するための構造に関するものである。
【背景技術】
【０００２】
農業用のビニールハウスのビニールを被設する骨組みは、支柱となるアーチ材と、アーチ材と交差し棟方向に沿う梁材と、両材を結合する抱持金具及び結合部を固定すると楔より構成されている。
そして、ビニールハウスは季節によって組み立てや分解が行われると共に、強風や豪雪等による自然災害を受ける毎に組み立てや分解が行われている。
【０００３】
そして、支柱となるアーチ材の両先端部は地中に刺して埋設して組み立てるのであり、支柱となるアーチ材や交差する梁材に損傷や腐食・劣化が生じている場合には、必要により個別に該当材を交換し、或いは補強して全体の維持・強度を保っている。
【０００４】
そこで、特開２００８−１１３６０９号公報では、先端部と、その背部に一体に連ねて形成された本体部と、この本体部には後方のみを開放して形成された差込み凹部と、金属製の支柱の先端部分を内嵌合させる合成樹脂製のパイプと、前記差込み凹部の底から前記先端部に貫通するドレン通路とを備え、前記合成樹脂製のパイプの先端部分が前記差込み凹部内に密に嵌合して一体的に固着され、前記先端部からこの合成樹脂製のパイプの後端より前記先端部側へ所定寸法寄った位置までが土中に埋設されることを特徴とする支柱の先端保護具が開示されている。
【先行技術文献】
【特許文献】
【０００５】
【特許文献１】特開２００８−１１３６０９号公報
【発明の概要】
【発明が解決しようとする課題】
【０００６】
上記のように経年使用によって、ビニールハウスの構成材で、支柱となるアーチ材や交差する梁材の骨材に一部的に損傷や腐食・劣化が生じて交換等の対応が必要となるのである。
そこで、本発明は、該当骨材を交換することなく、一時的或いは簡易に対処できるビニールハウスの骨材補強構造を提供せんとするものである。
【課題を解決するための手段】
【０００７】
本発明に係るビニールハウスの骨材補強構造の請求項１に記載の発明は、中央部を湾曲したＵ字状の抱持部を形成し、両側壁部に先端から側壁部の略中央にかけて切欠部を形成し、前記切欠部の両側を脚部とし、脚部の先端は内側への屈曲部を形成して成る連結金具と、本体平面部の両側に下方へ９０度屈曲した先細テーパーの側板部を形成した楔とで構成し、前記抱持部へ骨材と共に補強材を同一方向に重合して抱持させ、前記両脚部の屈曲部に楔の前記側板部を打ち込んで前記抱持部内の骨材と補強材を挟圧固定したことを特徴とするものである。
【０００８】
本発明に係るビニールハウスの骨材補強構造の請求項２に記載の発明は、請求項１の発明において、楔は、中央部が欠損して前後部に先細のテーパーの側板部が形成され、中央部の欠損した前後長さは前記脚部の前後長さよりも長いことを特徴とするものである。
【０００９】
本発明に係るビニールハウスの骨材補強構造の請求項３に記載の発明は、請求項２の発明において、前後部に形成された先細テーパーの側板部は、同一の傾斜角度と同一の垂下長を有することを特徴とするものである。
【００１０】
本発明に係るビニールハウスの骨材補強構造の請求項４に記載の発明は、請求項２又は３の発明において、本体平面部の中央には段部を形成して溝条平面と成し、段部は補強材又は骨材に当接して打ち込まれることを特徴とするものである。
【発明の効果】
【００１１】
中央部を湾曲したＵ字状の抱持部を形成し、両側壁部に先端から側壁部の略中央にかけて切欠部を形成し、前記切欠部の両側を脚部とし、脚部の先端は内側への屈曲部を形成して成る連結金具は、支柱材と梁材を十字に交差させて抱持する連結具にも利用されているものであり、その金具を活用して兼用できるため製造及び経済性に富む効果を有する。
【００１２】
そして、骨材に補強材を同一方向に重合して連結金具で抱持し、連結金具の両脚部の屈曲部に楔の側板部を打ち込んで前記抱持部内の骨材と補強材を挟圧固定するものであるから作業が極めて簡単容易である効果を発揮する。
【００１３】
請求項２の発明は、請求項１の効果に加えて、楔は中央部が欠損して前後部に先細テーパーの側板部が形成され、中央部の欠損した前後長さは前記脚部の前後長さよりも長いため、中央部の欠損を利用して前方の側板部を前方の脚部の屈曲部へ直接係合することができると共に、同時に後方の側板部を後方の脚部の屈曲部へ係合させて打ち込むことができる効果を奏する。
【００１４】
また、前後の脚部の屈曲部と楔の側板部の独立した先細テーパーの側板部が係合するため、楔作用が確実に奏することができ、骨材と補強材の抱持と挟圧を連結具全体で作用させることができる効果を発揮する。
【００１５】
請求項３の発明は、請求項２の効果に加えて、前後部に形成された先細テーパーの側板部は、同一の傾斜角度と同一の垂下長を有するから、前後の脚部への楔作用が同一に働いて、連結具全体で均等な骨材と補強材の抱持及び挟圧を行うことができる効果を発揮する。
【００１６】
請求項４の発明は、請求項２又は３の効果に加えて、本体平面部の中央には段部を形成して溝条平面と成し、段部は補強材又は骨材に当接して打ち込まれるため、弧状面の補強材又は骨材へ段部の二条の線で当接するから、滑りにくく強力な押圧と成る効果を有する。
【図面の簡単な説明】
【００１７】
【図１】本発明に係る連結金具の一実施の形態を示す斜視図である。
【図２】本発明に係る楔の一実施の形態を示す斜視図である。
【図３】本発明に係る骨材補強構造の一実施の形態を示す正面図である。
【図４】本発明に係る楔の他の実施の形態を示す斜視図である。
【図５】図４の楔の使用途中を示す正面図である。
【図６】図４の楔の使用状態を示す要部断面図である。
【発明を実施するための形態】
【００１８】
本発明の実施の形態を図面に基づいて説明する。
本発明に係る骨材補強構造は、構成材であるアーチ形の支柱材又は梁材の何れかの骨材３と補強材４を連結固定することを目的とし、連結手段として連結金具１と楔２を用いる。
骨材３及び補強材４は金属製の丸パイプ製である。
【００１９】
図１は、本発明に係る連結金具の一実施の形態を示す斜視図であり、図２は本発明に係る楔の一実施の形態を示す斜視図であり、図３は前記連結金具１と前記楔２を用いた骨材補強構造の一実施の形態を示す正面図である。
【００２０】
連結金具１は中央部を湾曲したＵ字状の抱持部１１を形成し、両側壁部１２に先端から側壁部１２の略中央にかけて切欠部１３を形成し、前記切欠部１３の両側を脚部１４Ａ、１４Ｂとし、脚部１４Ａ、１４Ｂの先端は内側への屈曲部１５Ａ、１５Ｂを形成して成る。
【００２１】
また、楔２は、本体平面部２１の両側に下方へ９０度屈曲した先細テーパーの側板部２２、２２を形成したものである。
この先細テーパーの各側板部２２は前記連結金具１の屈曲部１５Ａ、１５Ｂに係合し、先細テーパーの各側板部２２の先端を前記連結金具１の後方脚部１４Ｂから挿入して前方屈曲部１５Ａへ打ち込んで後述の楔作用を行う。
【００２２】
そこで、図３に示すように、連結金具１の抱持部１１へ骨材３と共に補強材４を同一方向に重合して抱持させ、前記両脚部１４Ａ、１４Ｂの屈曲部１５Ａ、１５Ｂに楔２の先細テーパーの側板部２２を打ち込んで、楔作用によって前記抱持部１１の内面とで骨材３及び補強材４を挟圧固定するものである。
【００２３】
図３において、骨材３が抱持部１１の天面に位置して補強材４を添える関係となっているけれど、反対の位置関係とするも良く、骨材３の補強場所如何によって適宜に位置決めすことができる。
また、連結金具１及び楔２の連結手段の使用位置及び個数は、補強場所や補強目的によって適宜決定され、通常は複数の位置及び個数になると想定される。
【００２４】
図４は他の実施の形態を示す楔２の斜視図であり、各側板部の中央部が欠損２３し、前後部に先細のテーパーの側板部２２Ａ、２２Ｂが形成され、本体平面部２１の中央には段部２４、２４を形成して溝条平面２５を形成している。
【００２５】
また、中央部の欠損２３した前後長Ｌは連結金具１の脚部１４Ａ、１４Ｂの前後長Ｓよりも長く設計されている。
また、前後部に形成された先細テーパーの側板部２２Ａ、２２Ｂは、同一の傾斜角度と同一の垂下長を有するものとしてある。
【００２６】
図５は、図４における楔２の使用途中を示す正面図である。
連結金具１の抱持部１１へ骨材３と共に補強材４を抱持させた状態において、楔２の前方の先細テーパーの側板部２２Ａを前方の脚部１４Ａの屈曲部１５Ａに係合すべく当て、楔２を抱持部１１へ押圧する。
すると、楔２中央部の欠損２３の前後長Ｌは連結金具１の後方脚部１４Ｂの前後長Ｓよりも長いため、楔２は抱持部１１内へ押し込まれる。
【００２７】
したがって、楔２の前方の先細テーパーの側板部２２Ａは連結金具１の前方の脚部１４Ａの屈曲部１５Ａに係合すべく対向し、後方の先細テーパーの側板部２２Ｂは連結金具１の後方の脚部１４Ｂの屈曲部１５Ｂに係合すべく対向した状態と成り、そのまま楔２を前方へ押圧することで、前後の脚部１４Ａ、１４Ｂへ夫々前後の側板部２２Ａ，２２Ｂを打ち込むことでできる。
【００２８】
図６はその使用の状態を示す要部断面図であり、前後部に形成された先細テーパーの側板部２２Ａ、２２Ｂは、同一の傾斜角度と同一の垂下長を有するから、前後の脚部１４Ａ、１４Ｂへの楔作用が同一に働き、連結金具１が全体で均等な楔作用となって骨材３と補強材４の抱持及び挟圧を行うことになる。
【００２９】
また、本体平面部２１の中央には段部２４、２４を形成して溝条平面２５を形成し、各段部２４が補強材４又は骨材３に当接して打ち込まれるため、弧状面の補強材４又は骨材３に二条の段部２４線が当接するから、滑りにくく強力な押圧と成る。
【００３０】
以上のように、本発明を図面に基づいて説明した実施の形態における具体的構成は一例であり、同様の作用効果を得られる他の構成又は手段を排除するものではない。
【符号の説明】
【００３１】
１      連結金具
２      楔
３      骨材
４      補強材
１１    抱持部
１２    側壁部
１３    切欠部
１４Ａ、１４Ｂ        脚部
１５Ａ、１５Ｂ        屈曲部
２１                  本体平面部
２２、２２Ａ、２２Ｂ  先細テーパーの側板部
２３                  欠損
２４                  段部
２５                  溝条平面
Ｌ                    欠損２３した前後長
Ｓ                    脚部の前後長
【図１】
2016021870.tif 000003
【図２】
2016021870.tif 000004
【図３】
2016021870.tif 000005
【図４】
2016021870.tif 000006
【図５】
2016021870.tif 000007
【図６】
2016021870.tif 000008